(57)【要約】【課題】本考案は墓前で扉を開けば、生前の写真が直ぐに現れ、故人を偲ぶことが可能になると共に、写真（印画紙のもの）を長期に渡って良好な状態で維持でき、殆ど手間を掛ける必要がないメモリアル部材を提供することを目的とする。【解決手段】前面に写真表示用のくり抜き穴11を有すると共に後面にルーバー12を備えた箱状のメモリアル本体１と、該メモリアル本体１の内部に立設して内蔵した板状で吸水性・速乾性を有した湿気除去部材２と、該湿気除去部材２の周囲に配置して前記メモリアル本体１の内面と密着させるためのスポンジ状の多孔質部材３と、前記メモリアル本体１の前に設けた観音開きの扉４と、から少なくとも構成する。また前記メモリアル本体１の下部に空間部５を設けると良く、前記湿気除去部材２として、珪藻土で長方形の板状に形成されたものや、吸水性・速乾性を有した繊維を用いると良い。【選択図】図１
0003212349.tif 000002
【実用新案登録請求の範囲】
【請求項１】
前面に写真表示用のくり抜き穴（11）を有すると共に後面にルーバー（12）を備えた箱状のメモリアル本体（１）と、該メモリアル本体（１）の内部に立設させて内蔵する板状で吸水性・速乾性を有した湿気除去部材（２）と、該湿気除去部材（２）の周囲に配置して前記メモリアル本体（１）の内面と密着させるための多孔質部材（３）と、前記メモリアル本体（１）の前に設けた開閉可能な扉（４）と、から少なくとも構成したことを特徴とするメモリアル部材。
【請求項２】
前記メモリアル本体（１）の下部に、空間部（５）を設けた請求項１記載のメモリアル部材。
【請求項３】
前記湿気除去部材（２）が、珪藻土で長方形の板状に形成された請求項１記載のメモリアル部材。
【請求項４】
前記湿気除去部材（２）が、吸水性・速乾性を有した繊維である請求項１記載のメモリアル部材。
【請求項５】
前記多孔質部材（３）が、スポンジ，多孔質の合成樹脂，海綿体の内の１つである請求項１記載のメモリアル部材。
【請求項６】
前記扉（４）が、観音開きである請求項１記載のメモリアル部材。
【考案の詳細な説明】
【技術分野】
【０００１】
本考案は墓石や仏壇などに写真を収納するために配置するメモリアル部材に関する。
【背景技術】
【０００２】
墓石又はその付近に写真を収納するものとして、例えば、特開２００９−７４２６４「三面写真枠付き小型墓石」や特開２００４−１４３９０４「メモリアル器具」などが提案されている。特開２００９−７４２６４は、墓石の一番上の棹石が、三面写真枠体、もしくは二面写真枠体に形成され、その写真飾り部に、故人の思い出の写真（遺影）を複数枚飾れるようにした構造のものである。このため、棹石の表面には、従来の如き文字が一切なく、通常は前開きの枠体が閉められているので、扉だけが目に付くものとなっていた。又、特開２００９−７４２６４は、お墓や仏壇を持っていない人のために、自宅の居間などで供養できるように、小型化し、従来の墓石や位牌のイメージを払拭することを最重要にし、その形態を格調高い家具調にしたのが主旨であると共に、墓石が居間のサイドボードやキャビネット（家具）などの上に安置して、供養するのが目的である。しかしながら、特開２００９−７４２６４は、屋外で使用すると防水性，防湿性，耐久性，耐候性など多くの問題を生じ、且つ、写真（印画紙のもの）を長期に渡って良好状態を確保する発想の記載はどこにもない。
【０００３】
一方、特開２００４−１４３９０４は、墓石の側部に、防水性，防湿性，耐候性処理を施してパネル状にした遺影を複数枚収納可能かつ回転可能な写真収納筒体と、法名碑或いは墓誌としてのプレートを複数枚収納可能かつ出し入れ可能な収納箱状体とからなるものである。このため、故人の遺影や記録事項を良好に長期に渡って保つことができ、墓参りした人の記憶を鮮明に蘇えらすことが可能なものであるが、写真（印画紙のもの）をそのままの状態で保管することができず、必ず複数の処理を行なってパネル状にする手間が掛るものであった。従って、後から好みの写真を直ぐに収納することが出来ず、且つ、写真収納筒体の内部にカビ防止剤が入れられているが、カビ防止剤を数ヶ月毎に新しいものと交換する必要があり、維持管理に手間が掛るものであった。しかも写真を見る際は、写真収納筒体の扉を掛け、その内部から必要な写真を選び出し、それを取り出してからでないと見ることが出来ず、面倒なものであった。更に写真（印画紙のもの）を長期に渡って良好状態を確保することは不可能なものであった。
【先行技術文献】
【特許文献】
【０００４】
【特許文献１】特開２００９−７４２６４号公報
【特許文献２】特開２００４−１４３９０４号公報
【考案の概要】
【考案が解決しようとする課題】
【０００５】
本考案は墓前で扉を開けば、生前の写真が直ぐに現れ、故人を偲ぶことが可能になると共に、写真（印画紙のもの）を長期に渡って、殆ど手間を掛けずに良好状態の維持が可能となるメモリアル部材を提供することを目的とする。
【課題を解決するための手段】
【０００６】
本考案は上記現状に鑑みて成されたものであり、つまり、前面に写真表示用のくり抜き穴を有すると共に後面にルーバーを備えた箱状のメモリアル本体と、該メモリアル本体の内部に立設させて内蔵する板状で吸水性・速乾性を有した湿気除去部材と、該湿気除去部材の周囲に配置して前記メモリアル本体の内面と密着させるための多孔質部材と、前記メモリアル本体の前に設けた開閉可能な扉と、から少なくとも構成する。また前記メモリアル本体の下部に空間部を設けると良く、前記湿気除去部材として、珪藻土で長方形の板状に形成されたものや、吸水性・速乾性を有した繊維を用いると良い。又、多孔質部材として、スポンジ，多孔質の合成樹脂，海綿体の内の１つを用い、前記扉を観音開きとするのが好ましい。
【考案の効果】
【０００７】
請求項１のように前面に写真表示用のくり抜き穴（11）を有すると共に後面にルーバー（12）を備えた箱状のメモリアル本体（１）と、該メモリアル本体（１）の内部に立設させて内蔵する板状で吸水性・速乾性を有した湿気除去部材（２）と、該湿気除去部材（２）の周囲に配置してメモリアル本体（１）の内面と密着させるための多孔質部材（３）と、前記メモリアル本体（１）の前に設けた開閉可能な扉（４）と、から少なくとも構成することにより、メモリアル本体（１）の内部に写真を収納しておくと、墓前で扉を開けば、生前の写真が直ぐに現れ、故人を偲ぶことが可能になると共に、写真（印画紙のもの）を長期に渡り、結露の防止，カビや変色の防止が可能となり、写真の良好状態（劣化防止）の維持が、殆ど手間を掛けずに保持することが可能なメモリアル部材となる。
【０００８】
請求項２のようにメモリアル本体（１）の下部に、空間部（５）を設けることにより、夏場や冬場に於ける墓石からの熱の伝達を遮断して断熱効果が発揮できるため、メモリアル本体（１）の内部に入れた写真の保存状態がより良好になる。
【０００９】
請求項３に示すように湿気除去部材（２）を、珪藻土で長方形の板状に形成すると、殆ど手間を掛けずに、写真を長期に渡って良好な保存状態が保持可能なものとなる。
【００１０】
請求項４に示すように湿気除去部材（２）として、吸水性・速乾性を有した繊維を用いると、請求項３と同様な効果が得られる。
【００１１】
請求項５のように多孔質部材（３）として、スポンジや海綿体を用いると、吸水性を有するので、メモリアル本体（１）の内部の除湿に助力可能なものとなり、写真をより良好状態に維持できる。また多孔質部材（３）として、多孔質の合成樹脂製のものを用いると、除湿の助力可能なものとなると共に、入手が安価で且つ容易なものとなる。
【００１２】
請求項６のように扉（４）を観音開きにすることにより、仏像等が安置される状態の雰囲気や仏壇のような荘厳な雰囲気が醸し出されるものになる。
【図面の簡単な説明】
【００１３】
【図１】本考案の実施形態を示す説明図である。
【図２】本考案に写真を入れ、扉が開かれた状態を示す説明図である。
【図３】本考案の使用状態を示す説明図である。
【考案を実施するための形態】
【００１４】
本考案の実施形態を図面に基づいて説明する。（１）は前面に写真表示用のくり抜き穴（11）を有すると共に後面にルーバー（12）を備えた箱状の木製や合成樹脂製等のメモリアル本体であり、該メモリアル本体（１）には、前面を金色或いは銀色で塗装し、他の面を黒色系で塗装するのが好ましい。尚、前記ルーバー（12）の代りに、メモリアル本体（１）の内部と外部の空気の循環が出来る構造の部材であれば、他のものでも良い。
【００１５】
（２）はメモリアル本体（１）の内部に立設させて内蔵する板状で吸水性・速乾性を有した湿気除去部材であり、該湿気除去部材（２）には珪藻土で長方形の板状に形成したものを用いるのが好ましい。前記珪藻土としては、インターネットの楽天市場，アマゾン，ヤフーショップなどで「珪藻土のバスマット」，「速乾吸水マット」，「珪藻土足拭きマット」，「珪藻土風呂足ふきマット」などの商品名で通販されているものと同じ材料を用いるのが良い。また上記以外の他の材料としては、吸水性・速乾性を有した天然素材，ポリエステル・ＰＰ混合の「速乾吸水マット」の材料，東レ製の商品名「セベリウス（吸湿性繊維）」を用いた「速乾吸水マット」の材料，販売元ミストアポケットの「即乾吸水マット」の材料等と同じ材料を用いると良い。前記湿気除去部材（２）の板厚としては、約１０ｍｍ前後のものを用いるのが良い。又、前記湿気除去部材（２）として、吸水性・速乾性を有した繊維を用いる際には、上記同様に板状に形成したものを使用する。
【００１６】
（３）は湿気除去部材（２）の周囲に配置してメモリアル本体（１）の内面と密着させて固定し位置決めするための多孔質部材であり、該多孔質部材（３）としては、スポンジ，多孔質の合成樹脂，海綿体の内の１つを用いる。
【００１７】
（４）はメモリアル本体（１）の前に設けた開閉可能な扉であり、該扉（４）は観音開きとするのが好ましいが、一般的な両開きや片開きのものでも良い。また扉（４）の内側面には、メモリアル本体（１）の前面に合せた金色或いは銀色を塗装し、他の面にはメモリアル本体（１）と同じ黒色系を塗装させる。又、前記扉（４）の内側に、図２に示す２点鎖線位置に写真入れを設けたものとしても良い。その写真入れは、一般的な写真立てと同様な構造とすれば良い。
【００１８】
（５）はメモリアル本体（１）の下部に設けた空間部であり、該空間部（５）は墓石からの熱の伝達を遮断させる役目を果たす。
【００１９】
（６）はくり抜き穴（11）の後側（内側）に配置した写真用の透明板であり、この透明板（６）には紫外線遮断機能を付与させたものを用いるのが好ましい。また透明板（６）の裏面に、写真の隅を支持する三角状などの写真支持部を設けておくと良い。この写真支持部は写真アルバムなどで使用されているものと同じものを用いれば良い。
【００２０】
（７）は本考案品全体を被せて雨や日光から保護するために用意されるカバーであり、該カバー（７）には、通気性や防水性及び耐光性などを有したシート状で袋体のものを用いるのが好ましい。又、ルーバー（12）を被う部分のカバー（７）には、開口部或いは編み目の粗い部分を設けておくのが好ましい。
【００２１】
次に本考案の使用方法について説明する。先ず始めに、写真をセット或いは交換する場合について説明する。先ずメモリアル本体（１）の後面に備えたルーバー（12）を外し、湿気除去部材（２）の周囲に配置した多孔質部材（３）を引抜きながら、板状の湿気除去部材（２）も一緒に外へ出す。次に透明板（６）を外して取り出し、該透明板（６）の裏面に設けた写真支持部に写真をセット或いは交換する。また写真支持部がない時には粘着テープなどで固定させる。写真をセット或いは交換した後、透明板（６）を元の位置に戻す。つまり、写真が表側のくり抜き穴（11）から見える状態となる。
【００２２】
次に写真と隙間ができるように、湿気除去部材（２）を多孔質部材（３）によって位置決めをする。この場合、写真と湿気除去部材（２）の隙間に、図１に示すように除湿剤を入れておくと良い。その後、ルーバー（12）を嵌め込めば、写真のセット或いは写真の交換が完了する。この時、湿気除去部材（２）の写真側（図中の左側）は、外部と遮断された状態になり、湿気除去部材（２）の右側は、ルーバー（12）により外気の出入りが自在で解放された状態になっている。
【００２３】
図３は本考案品を墓石の棹石の前に載置した状態を示した図であり、この図に基づいて参拝する場合を説明する。先ず墓前に手を合せ、メモリアル本体（１）の正面に設けた扉（４）を開けると、金色に塗られた前面のくり抜き穴（11）から故人の写真が現われる。この時、前面の金色に合せて扉（４）の裏面も金色に塗布しておくと、故人の写真が神々しく且つ荘厳に見える。この状態で写真に対して手を合せ、拝めば良い。拝んだ後、扉（４）を閉めることで、写真が外部と遮断される。この時、本考案品を日光と雨から保護するためにカバー（７）を被せておくと良い。尚、図３の図中の２点鎖線は本考案品の周囲に被せるカバーを示す。
【００２４】
次に本考案の作用を、図１を参照して説明する。先ず、メモリアル本体（１）の内部に存在する湿気は、湿気除去部材（２）によって吸収し、特に写真と湿気除去部材（２）との空間部の湿気は、図中に示す湿気除去部材（２）の左面から吸収し、その内部に溜まる。その溜められた湿気（水分）は湿気除去部材（２）の右面に、ルーバー（12）の一端側から入った空気が当り、その空気と一緒に湿気が、ルーバー（12）の他端側から外部へ出される。この空気の流れによって、湿気除去部材（２）を介してメモリアル本体（１）内部の写真側の空間部に存在する湿気が、ルーバー（12）から排出される循環となる。この時、写真と湿気除去部材（２）の間に隙間を設けているが、その隙間に石灰やシリカゲルなどの除湿剤を入れておくと、写真にカビや変色の防止がより効率良く保持できる。更に、メモリアル本体（１）の下部に、空間部（５）を設けることにより、この空間部（５）の空気が断熱効果を発揮するので、墓石から受ける熱の影響を極力少なくし、夏場や冬場に於いても、メモリアル本体（１）の内部に入れた写真の保存状態が良好になる。
従って、写真は長期間に渡って湿気が除去されて乾燥した状態が保持され、長期間に渡って写真の状態が良好に維持出来るのである。
【００２５】
尚、メモリアル本体（１）の内部よりも外部の湿度が高い時は、外部の湿気は湿気除去部材（２）によって吸収し、その内部に湿気を溜めるため、外部の湿気が写真側の空間部には流れ込まないように遮断して保護される。この湿気除去部材（２）で吸収して溜められた湿気（水分）は増加するが、ルーバー（12）から空気の流れによって、湿気除去部材（２）の表面から蒸発して徐々に排出される。又、湿気除去部材（２）の内部に溜まった水分量は梅雨の時期や雨の日以外は、湿気除去部材（２）の内部に溜まった水分量が徐々に減少し、年間を通してメモリアル本体（１）の写真側の空間部の湿度は、外部の湿度よりもかなり低い状態で維持される。
【００２６】
このように本考案品に入れた写真が屋外に置かれても、メモリアル本体（１）内部の写真側の空間部の湿度が低く維持できるため、写真（印画紙のもの）を長期に渡り、結露の防止，カビや変色の防止が可能となる。また湿気除去部材（２）は長期間に渡って湿気が除去できるので、殆ど手間を掛けずに写真の良好状態（劣化防止）の維持が可能となる。
【符号の説明】
【００２７】
１  メモリアル本体
11  くり抜き穴
12  ルーバー
２  湿気除去部材
３  多孔質部材
４  扉
５  空間部
【図１】
0003212349.tif 000003
【図２】
0003212349.tif 000004
【図３】
0003212349.tif 000005